(57)【要約】【課題】パネル装置及び複数のパネル装置によるパネル装置群において、各種のオプション部材の取付構造や複数のパネル装置同士の連結構造を一部共通化して部品点数の削減し、コストの低減を図ること。【解決手段】床上に設置されるパネル装置１０であって、両側に平らな主面２０を有するパネル本体１８と、パネル本体１８の外辺に沿って延在し、外方に向けて開口した第１凹溝２４を有する直線状の外辺フレーム２２と、外辺フレーム２２と同方向に延在して他部品の取り付けのために第１凹溝２４から溝外方に向けて露出する部分を含む主部７２及び主部７２の一方の端部から外辺フレーム２２の第１凹溝２４の内方に向けて延出して外辺フレーム２２の端部に固定される固定片部７４を有する取付用ベース部材７０とを具備する。【選択図】図２１
2020139286.tif 000002
【特許請求の範囲】
【請求項１】
床上に設置されるパネル装置であって、
両側に平らな主面を有するパネル本体と、
前記パネル本体の外辺に沿って延在し、外方に向けて開口した第１凹溝を有する直線状の外辺フレームと、
前記外辺フレームと同方向に延在して他部品の取り付けのための取付用ベース部材とを具備し、
前記取付用ベース部材は前記第１凹溝から溝外方に向けて露出する部分を含む主部及び前記主部の一方の端部から前記外辺フレームの前記第１凹溝の内方に向けて延出して前記外辺フレームの端部に固定される固定片部を有するパネル装置。
【請求項２】
前記外辺フレームは、前記第１凹溝の両側に各々外方に向けて先細りになるべく傾斜した傾斜部を含む請求項１に記載のパネル装置。
【請求項３】
前記主面から面一に外方に延出した仮想平面と前記傾斜部の外面とがなす角度が４５度である請求項２に記載のパネル装置。
【請求項４】
前記パネル本体の上部において前記外辺フレームの前記第１凹溝に正対して前記取付用ベース部材の前記主部に固定される中央片、前記中央片の各側縁に接続されて各傾斜部に正対する矩形の傾斜側片及び少なくとも一方の前記傾斜側片から略直角に起立した起立片を含む取付部材と、
前記起立片に固定された基端部を含み、前記基端部から斜め上方に延在する傾斜天井パネルとを更に有する請求項２又は３に記載のパネル装置。
【請求項５】
前記パネル本体の下部において、前記取付用ベース部材の前記主部に固定される脚部材を更に有する請求項１〜４の何れか一項に記載のパネル装置。
【請求項６】
前記外辺フレームに嵌合し、前記外辺フレームと同方向に延在して外方に向けて開口した第２凹溝を有する直線状の外縁レールを更に有し、
前記取付用ベース部材の前記主部は前記第２凹溝と同方向に延在して当該第２凹溝に嵌合して前記外縁レールに係止されている請求項１〜５の何れか一項に記載のパネル装置。
【請求項７】
前記外縁レールは、前記第２凹溝のスリット状の溝入口部及び前記溝入口部の両側部から各々溝内側に張り出した突部を含んでおり、
前記取付用ベース部材の前記主部は、前記突部との係合によって前記外縁レールに係止され、前記溝入口部から溝外方に向けて露出する部分を含む請求項６に記載のパネル装置。
【請求項８】
前記パネル本体の前記主面を覆い、前記外辺フレームと前記外縁レールとに挟まれて前記外辺フレームに固定された外縁を含む表皮を更に有する請求項６又は７に記載のパネル装置。
【請求項９】
外方に向けて開口した凹溝を有し、前記パネル本体の各角部に設けられて互いに隣り合う前記外辺フレームに接続された円弧状のコーナフレームと、
前記コーナフレームの前記凹溝に嵌合して前記コーナフレームに固定された円弧状のコーナキャップとを更に有し、
前記表皮の前記外縁は、前記コーナフレームとコーナキャップとに挟まれて前記コーナフレームに固定される部分を含む請求項８に記載のパネル装置。
【請求項１０】
請求項１〜９の何れか一項の記載のパネル装置を２個有するパネル装置群であって、
一方の前記パネル装置に固定された前記取付用ベース部材の前記主部には頭部付きピンが取り付けられ、他方の前記パネル装置に固定された前記取付用ベース部材の前記主部には前記頭部付きピンが係合する係合孔が設けられ、前記頭部付きピンと前記係合孔との係合により、前記２個のパネル装置が互いに直線状に接続されたパネル装置群。
【請求項１１】
請求項６〜９の何れか一項の記載のパネル装置を２個有するパネル装置群であって、
前記取付用ベース部材とは異なった位置において各パネル装置の前記外縁レールの前記第２凹溝との嵌合によって対応する前記外縁レールに係止された２個の嵌合部を互いに一体に有する係止部及び前記係止部の一方の端部から相反する外方に向けて延出し各パネル装置の前記外辺フレームの端部に固定される２個の固定片部を含むパネル連結部材を有するパネル装置群。
【請求項１２】
請求項１〜９の何れか一項の記載のパネル装置を２個有するパネル装置群であって、
各パネル装置の前記取付用ベース部材の前記主部に頭部付きピンが取り付けられ、
互いに９０度の挟み角度を有する２面の各々に頭部付きピンが係合する係合孔を含む２面連結部材を更に有し、
各頭部付きピンと対応する前記係合孔との係合により前記２個のパネル装置が平面視でＬ字状に接続されたパネル装置群。
【請求項１３】
請求項１〜９の何れか一項の記載のパネル装置を３個有するパネル装置群であって、
各パネル装置の前記取付用ベース部材の前記主部に頭部付きピンが取り付けられ、
隣り合うもの同士で互いに９０度の挟み角度を有する３面の各々に前記頭部付きピンが係合する係合孔を含む３面連結部材を更に有し、
各頭部付きピンと対応する前記係合孔との係合により前記３個のパネル装置が平面視でＴ字状に接続されたパネル装置群。
【請求項１４】
請求項１〜９の何れか一項の記載のパネル装置を４個有するパネル装置群であって、
各パネル装置の前記取付用ベース部材の前記主部に頭部付きピンが取り付けられ、
隣り合うもの同士で互いに９０度の挟み角度を有する４面の各々に前記頭部付きピンが係合する係合孔を含む４面連結部材を更に有し、
各頭部付きピンと対応する前記係合孔との係合により前記４個のパネル装置が平面視で十字状に接続されたパネル装置群。
【発明の詳細な説明】
【技術分野】
【０００１】
本発明は、パネル装置及びパネル装置群に関し、更に詳細には、屋内空間の仕切りに用いられるパネル装置及び複数のパネル装置によるパネル装置群に関する。
【背景技術】
【０００２】
オフィス等の屋内空間の仕切りに用いられるパネル装置（パーティションパネル）として、パネル基材と、パネル基材の外周部に設けられ、外方に向けて開口した凹溝を有するフレームと、凹溝に配置されてフレームに固定され、外部から什器連結ブラケットをボルトによって取り付けられるオプション取付部材とを有するものが知られている（例えば、特許文献１）。
【先行技術文献】
【特許文献】
【０００３】
【特許文献１】２０１５−１４３４３８号公報
【発明の概要】
【発明が解決しようとする課題】
【０００４】
上述の如き従来のパネル装置は、什器等のオプション部材毎に設計された連結ブラケット自体をオプション取付部材に直接固定するものであるから、オプション部材毎に専用の連結ブラケットが必要であり、多種多様な連結ブラケットを準備する必要が生じ、コスト高になる。
【０００５】
また、上述の如き従来のパネル装置では、複数のパネル装置同士を連結するためには、専用部品による連結構造を採用する必要が生じ、コスト高になる。
【０００６】
連結ブラケットがオプション取付部材に対して高い取付強度をもって取り付けられ、且つ連結ブラケットに対してオプション部材が高い取付強度をもって取り付けられる構造であるほど、また、パネル装置同士が高い連結強度を連結される構造であるほど、連結ブラケット等が重厚化し、連結ブラケット等が高価なものになる。
【０００７】
本発明が解決しようとする課題は、パネル装置及び複数のパネル装置によるパネル装置群において、各種のオプション部材の取付構造や複数のパネル装置同士の連結構造を一部共通化して部品点数の削減し、コストの低減を図ることである。
【課題を解決するための手段】
【０００８】
本発明の一つの実施形態によるパネル装置は、床上に設置されるパネル装置（１０）であって、両側に平らな主面（２０）を有するパネル本体（１８）と、前記パネル本体（１８）の外辺に沿って延在し、外方に向けて開口した第１凹溝（２４）を有する直線状の外辺フレーム（２２）と、前記外辺フレーム（２２）と同方向に延在して他部品の取り付けのために前記第１凹溝（２４）から溝外方に向けて露出する部分を含む主部（７２）及び前記主部（７２）の一方の端部から前記外辺フレーム（２２）の前記第１凹溝（２４）の内方に向けて延出して前記外辺フレーム（２２）の端部に固定される固定片部（７４）を有する取付用ベース部材（７０）とを具備する。
【０００９】
この構成によれば、取付用ベース部材（７０）が第１凹溝（２４）から溝外方に向けて露出する部分を含む主部（７２）を有していることにより、取付用ベース部材（７０）を共通部品として主部（７２）に各種の他部品を取り付けて各種のオプション部材の取り付けや複数のパネル装置（１０）同士の連結を行うことができる。
【００１０】
上記パネル装置（１０）において、好ましくは、前記外辺フレーム（２２）は、前記第１凹溝（２４）の両側に各々外方に向けて先細りになるべく傾斜した傾斜部（３６）を含む。
【００１１】
この構成によれば、傾斜部（３６）を利用してオプション部材を容易に傾斜配置できる。
【００１２】
上記パネル装置（１０）において、好ましくは、前記主面（２０）から面一に外方に延出した仮想平面（Ａ）と前記傾斜部（３６）の外面とがなす角度（θ）が４５度である。
【００１３】
この構成によれば、平面視でＬ字形やＴ字形や十字形のパネル配置において、互いに隣接する２個のパネル装置（１０）同士を９０度の挟み角をもって配置する場合に、隣り合うパネル装置（１０）間に大きい隙間が生じることを回避できる。
【００１４】
上記パネル装置（１０）において、好ましくは、前記パネル本体（１８）の上部において前記外辺フレーム（２２）の前記第１凹溝（２４）に正対して前記取付用ベース部材（７０）の前記主部（７２）に固定される中央片（１５０Ａ）、前記中央片（１５０Ａ）の各側縁に接続されて各傾斜部（３６）に正対する傾斜側片（１５０Ｂ）及び少なくとも一方の前記傾斜側片（１５０Ｂ）から略直角に起立した起立片（１５０Ｄ）を含む取付部材（１５０）と、前記起立片（１５０Ｄ）に固定された基端部（１６０Ａ）を含み、前記基端部（１６０Ａ）から斜め上方に延在する傾斜天井パネル（１６０）とを更に有する。
【００１５】
この構成によれば、取付用ベース部材（７０）及び取付部材（１５０）の使用のもとに、傾斜部（３６）を利用して傾斜天井パネル（１６０）をパネル本体（１８）に対して容易に傾斜配置することができる。
【００１６】
上記パネル装置（１０）において、好ましくは、前記パネル本体（１８）の下部において、前記取付用ベース部材（７０）の前記主部（７２）に固定される脚部材（１４２）を更に有する。
【００１７】
この構成によれば、取付用ベース部材（７０）の使用のもとに、パネル本体（１８）に対して脚部材（１４２）を簡便に取り付けることができる。
【００１８】
上記パネル装置（１０）において、好ましくは、前記外辺フレーム（２２）に嵌合し、前記外辺フレーム（２２）と同方向に延在して外方に向けて開口した第２凹溝（４０）を有する直線状の外縁レール（３８）を更に有し、前記取付用ベース部材（７０）の前記主部（７２）は前記第２凹溝（４０）と同方向に延在して当該第２凹溝（４０）に嵌合して前記外縁レール（３８）に係止されている。
【００１９】
この構成によれば、取付用ベース部材（７０）の主部（７２）の取付強度が向上し、主部（７２）を用いたオプション部材の取付強度や複数のパネル装置（１０）同士の連結強度が向上する。
【００２０】
上記パネル装置（１０）において、好ましくは、前記外縁レール（３８）は、前記第２凹溝（４０）のスリット状の溝入口部（３８Ａ）及び前記溝入口部（３８Ａ）の両側部から各々溝内側に張り出した突部（３８Ｃ）を含んでおり、前記取付用ベース部材（７０）の前記主部（７２）は、前記突部（３８Ｃ）との係合によって前記外縁レール（３８）に係止され、前記溝入口部（３８Ａ）から溝外方に向けて露出する部分を含む。
【００２１】
この構成によれば、外縁レール（３８）に対する取付用ベース部材（７０）の主部（７２）の取付強度が確実に向上し、取付用ベース部材（７０）を用いたオプション部材の取付強度や複数のパネル装置（１０）同士の連結強度が確実に向上する。
【００２２】
上記パネル装置（１０）において、好ましくは、前記パネル本体（１８）の前記主面（２０）を覆い、前記外辺フレーム（２２）と前記外縁レール（３８）とに挟まれて前記外辺フレーム（２２）に固定された外縁（４２Ａ）を含む表皮（４２）を更に有する。
【００２３】
この構成によれば、外縁レール（３８）を利用してパネル本体（１８）に対する表皮（４２）の貼り付けが簡便且つ確実に行われる。
【００２４】
上記パネル装置（１０）において、好ましくは、外方に向けて開口した第３凹溝（５２）を有し、前記パネル本体（１８）の各角部に設けられて互いに隣り合う前記外辺フレーム（２２）に接続された円弧状のコーナフレーム（４６）と、前記コーナフレーム（４６）の前記第３凹溝（５２）に嵌合して前記コーナフレーム（４６）に固定された円弧状のコーナキャップ（５４）とを更に有し、前記表皮（４２）の前記外縁（４２Ａ）は、前記コーナフレーム（４６）とコーナキャップ（５４）とに挟まれて前記コーナフレーム（４６）に固定される部分を含む。
【００２５】
この構成によれば、コーナキャップ（５４）によってパネル本体（１８）に対するコーナ部の表皮（４２）の貼り付けが簡便且つ確実に行われる。
【００２６】
本発明の一つの実施形態によるパネル装置群は、上述の実施形態のパネル装置（１０）を２個有するパネル装置群であって、一方の前記パネル装置（１０）に固定された前記取付用ベース部材（７０）の前記主部（７２）には頭部付きピンが取り付けられ、他方の前記パネル装置に固定された前記取付用ベース部材（７０）の前記主部（７２）には前記頭部付きピンが係合する係合孔が設けられ、前記頭部付きピンと前記係合孔との係合により、前記２個のパネル装置（１０）が互いに直線状に接続されている。
【００２７】
この構成によれば、取付用ベース部材（７０）の使用のもとに、２個のパネル装置（１０）の直線状の接続が多くの専用部品を必要とすることなく簡便且つ確実に行われる。
【００２８】
本発明の一つの実施形態によるパネル装置群は、上述の実施形態のパネル装置（１０）を２個有するパネル装置群であって、前記取付用ベース部材（７０）とは異なった位置において各パネル装置（１０）の前記外縁レール（３８）の前記第２凹溝（４０）との嵌合によって対応する前記外縁レール（３８）に係止された２個の嵌合部（９２Ａ、９２Ｂ）を互い一体に有する係止部（９２）及び前記係止部（９２）の一方の端部から相反する外方に向けて延出し各パネル装置（１０）の前記外辺フレーム（２２）の端部に固定される２個の固定片部（９４、９６）を含むパネル連結部材（９０）を有する。
【００２９】
この構成によれば、パネル連結部材（９０）によって２個のパネル装置（１０）の直線状の接続が多くの専用部品を必要とすることなく簡便且つ確実に行われる。
【００３０】
本発明の一つの実施形態によるパネル装置群は、上述の実施形態のパネル装置（１０）を２個有するパネル装置群であって、各パネル装置（１０）の前記取付用ベース部材（７０）の前記主部（７２）に頭部付きピン（７８）が取り付けられ、互いに９０度の挟み角度を有する２面（１１０Ａ、１１０Ｂ）の各々に前記頭部付きピンが係合する係合孔（１１０Ｃ、１１０Ｄ）を含む２面連結部材（１１０）を更に有し、各頭部付きピン（７８）と対応する前記係合孔（１１０Ｃ、１１０Ｄ）との係合により前記２個のパネル装置（１０）が平面視でＬ字状に接続されている。
【００３１】
この構成によれば、取付用ベース部材（７０）の使用のもとに、２個のパネル装置（１０）のＬ字状の接続が多くの専用部品を必要とすることなく簡便且つ確実に行われる。
【００３２】
本発明の一つの実施形態によるパネル装置群は、上述の実施形態のパネル装置（１０）を３個有するパネル装置群であって、各パネル装置（１０）の前記取付用ベース部材（７０）の前記主部（７２）に頭部付きピン（７８）が取り付けられ、隣り合うもの同士で互いに９０度の挟み角度を有する３面（１２０Ａ、１２０Ｂ、１２０Ｃ）の各々に前記頭部付きピン（７８）が係合する係合孔（１２０Ｄ、１２０Ｅ、１２０Ｆ）を含む３面連結部材（１２０）を更に有し、各頭部付きピン（７８）と対応する前記係合孔（１２０Ｄ、１２０Ｅ、１２０Ｆ）との係合により前記３個のパネル装置（１０）が平面視でＴ字状に接続されている。
【００３３】
この構成によれば、取付用ベース部材（７０）の使用のもとに、３個のパネル装置（１０）のＴ字状の接続が多くの専用部品を必要とすることなく簡便且つ確実に行われる。
【００３４】
本発明の一つの実施形態によるパネル装置群は、上述の実施形態のパネル装置（１０）を４個有するパネル装置群であって、各パネル装置（１０）の前記取付用ベース部材（７０）の前記主部（７２）に頭部付きピン（７８）が取り付けられ、隣り合うもの同士で互いに９０度の挟み角度を有する４面（１３０Ａ、１３０Ｂ、１３０Ｃ、１３０Ｄ）の各々に前記頭部付きピン（７８）が係合する係合孔（１３０Ｅ、１３０Ｆ、１３０Ｇ、１３０Ｈ）を含む４面連結部材（１３０）を更に有し、各頭部付きピン（７８）と対応する前記係合孔（１３０Ｅ、１３０Ｆ、１３０Ｇ、１３０Ｈ）との係合により前記４個のパネル装置（１０）が平面視で十字状に接続されている。
【００３５】
この構成によれば、取付用ベース部材（７０）の使用のもとに、４個のパネル装置（１０）の十字状の接続が多くの専用部品を必要とすることなく簡便且つ確実に行われる。
【発明の効果】
【００３６】
本発明によるパネル装置及びパネル装置群によれば、各種のオプション部材の取付構造や複数のパネル装置同士の連結構造が一部共通化され、部品点数の削減のもとにコストが低減する。
【図面の簡単な説明】
【００３７】
【図１】本発明によるパネル装置の一つの実施形態を示す斜視図
【図２】本実施形態によるパネル装置の分解斜視図
【図３】図１の線ＩＩＩ−ＩＩＩに沿った拡大断面図
【図４】本実施形態によるパネル装置の上部コーナ部分の拡大正面図
【図５】図１の線Ｖ−Ｖに沿った拡大断面図
【図６】本実施形態によるパネル装置の上部コーナ部分の分解斜視図
【図７】本実施形態によるパネル装置の下部コーナ部分の拡大正面図
【図８】本実施形態によるパネル装置の下部コーナ部分の分解斜視図
【図９】図１の線ＩＸ−ＩＸに沿った拡大断面図
【図１０】本実施形態によるパネル装置に用いられる第１取付用ベース部材の拡大斜視図
【図１１】本実施形態による直列配置のパネル装置群の下側の接続部を示す部分断面図
【図１２】図１１の線ＸＩＩ−ＸＩＩに沿った拡大断面図
【図１３】本実施形態によるパネル装置に用いられる第２取付用ベース部材の拡大斜視図
【図１４】本実施形態による直列配置のパネル装置群の上側の接続部を示す側面図
【図１５】図１４の線ＸＶ−ＸＶに沿った拡大断面図
【図１６】本実施形態によるパネル装置に用いられるパネル連結部材の拡大斜視図
【図１７】本実施形態によるＬ字形配置のパネル装置群の側面図
【図１８】図１７の線ＸＶＩＩＩ−ＸＶＩＩＩに沿った拡大断面図
【図１９】図１７の線ＸＩＸ−ＸＩＸに沿った拡大断面図
【図２０】本実施形態によるＴ字形配置のパネル装置群の要部の拡大断面図
【図２１】本実施形態による十字形配置のパネル装置群の要部の拡大断面図
【図２２】本実施形態によるパネル装置に用いられる脚部材の取付構造を示す側面図
【図２３】本発明によるパネル装置の他の実施形態を示す斜視図
【図２４】他の実施形態によるパネル装置の要部の断面図
【図２５】他の実施形態によるパネル装置の要部の拡大断面図
【図２６】他の実施形態によるパネル装置の要部の断面図
【発明を実施するための形態】
【００３８】
以下に、本発明によるパネル装置及びパネル装置群の一つの実施形態を、図１〜図９を参照して説明する。
【００３９】
図１に示されているように、本実施形態によるパネル装置１０は、上下左右に１／４円弧によるコーナ部を有する略矩形をしており、下部に設けられた脚部材１２によって床面Ｆ上に略垂直の起立姿勢で設置される。
【００４０】
パネル装置１０は、図２に示されているように、紙製等のハニカム構造の芯板１４及び芯板１４の表裏両面に各々重ね合わされたウレタン樹脂等による２枚の外側板１６を含む矩形のパネル本体１８を有する。パネル本体１８は表裏両面に矩形の平らな主面２０を有する。パネル本体１８の表裏には各々主面２０を覆うように織布等による表皮４２が張られている。
【００４１】
パネル本体１８の各外片には外辺フレーム２２が取り付けられている。外辺フレーム２２は、アルミニウム押出材等による直線状のものであり、図３に示されているように、外方に向けて開口した第１凹溝２４を画定する凹溝構成部２６Ａ及び凹溝構成部２６Ａと協働して凹溝構成部２６Ａの外側に箱形断面形状を画定する外壁部２６Ｂを互いに一体に有するフレーム本体部２６と、フレーム本体部２６の外壁部２６Ｂによる底部２６Ｃ（第１凹溝２４の開口側とは反対の側）からパネル本体１８の表裏方向（以降、パネル本体１８の幅方向と云う）に互いに隔置されて各々外方に延出した２個のパネル取付片２８とを互いに一体に有する。２個のパネル取付片２８は連結片３０によって互いに連結されている。これにより、２個のパネル取付片２８は連結片３０及びフレーム本体部２６の底部２６Ｃと協働して箱形断面形状を構成する。これにより、外辺フレーム２２は、複数の箱形断面形状の部分を含んで高い曲げ剛性を有する。
【００４２】
２個のパネル取付片２８間には２個のパネル取付片２８によって両面を挟まれるようにして芯板１４の外縁が嵌合している。各パネル取付片２８の外側には各外側板１６の外縁が接着剤等によって貼着されている。
【００４３】
フレーム本体部２６は、凹溝構成部２６Ａの底部に、後述するセルフタップねじ７６等よって雌ねじを形成されるＣ字形断面形状による雌ねじ形成部３４を有する。雌ねじ形成部３４は、両側を凹溝構成部２６Ａに接続され、且つ底部をリブ２６Ｄによってフレーム本体部２６の底部２６Ｃに接続されている。これにより、雌ねじ形成部３４は凹溝構成部２６Ａ及び外壁部２６Ｂに対して高い取付強度を有する。
【００４４】
フレーム本体部２６は第１凹溝２４の両側に各々外方に向けて先細りになるべく傾斜した傾斜部３６を含む。各傾斜部３６は主面２０から面一に外方に延出した仮想平面Ａと傾斜部３６の外面３６Ａとがなす角度θが４５度をなしている。
【００４５】
外辺フレーム２２には樹脂成形品による直線状の外縁レール３８が装着されている。外縁レール３８は、略Ｕ字形の断面形状を有し、外辺フレーム２２と同方向に延在するスリット状の溝入口部３８Ａによって外方に向けて開口した第２凹溝４０を画定しており、スリット状の溝入口部３８Ａの両側の外面に形成された係合溝３８Ｂが対応する側の傾斜部３６の先端部（遊端部）３６Ｂに嵌合することによって外縁レール３８に固定されている。外縁レール３８は、溝入口部３８Ａの両側の内面から各々溝内側に張り出して第２凹溝４０に沿って延在する一対の突条（突部）３８Ｃを含んでいる。
【００４６】
外縁レール３８の溝入口部３８Ａには、図３に仮想線によって示されているように、意匠（化粧）用のレール状キャップ３９が装着されていてよい。
【００４７】
各表皮４２は、傾斜部３６の外面に沿って延在する部分を含んで外辺フレーム２２の両側を被覆する部分を有し、傾斜部３６の先端部３６Ｂと外縁レール３８の係合溝３８Ｂに挟まれて外辺フレーム２２に固定された外縁４２Ａを含む。これにより、外縁レール３８を利用してパネル本体１８に対する表皮４２の貼り付けが簡便且つ確実に行われる。
【００４８】
各表皮４２の外縁４２Ａには帯状のゴム４４が縫い付けられている。ゴム４４は、各表皮４２の外周の延在するループをなし、表皮４２の外縁４２Ａを外辺フレーム２２に係止する表皮４２の仮止めを行う。これにより、各表皮４２の取付作業性が向上する。尚、ゴム４４に代えて締め付けて結ぶことができる紐が用いられてもよい。
【００４９】
パネル本体１８の上側の各角部には、図４に示されているように、互いに隣り合う外辺フレーム２２の端部に接続された１／４円弧状の上部コーナフレーム４６が取り付けられている。上部コーナフレーム４６は、図５及び図６に示されているように、２個の半体４６Ａをねじ４８によって互い連結されたものであり、外辺フレーム２２の端部から凹溝構成部２６Ａ及び外壁部２６Ｂにより画定された空間に挿入される挿入片４６Ｂ及びパネル取付片２８等による箱形断面形状部に挿入されてねじ５０によって外辺フレーム２２に固定される挿入片４６Ｃを両端に有し、両端に隣接する各第１凹溝２４に連続して外方に向けて開口した円弧状の第３凹溝５２を画定している。
【００５０】
上部コーナフレーム４６は、外辺フレーム２２と同様に、第３凹溝５２の開口側の両側に各々パネル本体１８の主面２０に対して先細りになるべく外壁部４６Ｄの両側部から各々４５度傾斜して外方に延出した表裏一対の傾斜部４７を含む。傾斜部４７は外辺フレーム２２の傾斜部３６に連続する傾斜面になる。
【００５１】
上部コーナフレーム４６には第３凹溝５２に嵌合して上部コーナフレーム４６に固定された樹脂製の円弧状のコーナキャップ５４が取り付けられている。
【００５２】
表皮４２の外縁４２Ａは上部コーナフレーム４６とコーナキャップ５４とに挟まれて上部コーナフレーム４６に固定される部分を含む。これにより、パネル本体１８に対するコーナ部分の表皮４２の貼り付けが簡便且つ確実に行われる。
【００５３】
パネル本体１８の下側の各角部には、図７及び図８に示されているように、互いに隣り合う外辺フレーム２２の端部に接続された／４円弧状の下部コーナフレーム５６が取り付けられている。下部コーナフレーム５６は、２個の半体５６Ａをねじ５８によって互い連結されたものであり、外辺フレーム２２の端部から凹溝構成部２６Ａ及び外壁部２６Ｂにより画定された空間に挿入される挿入片５６Ｂ及びパネル取付片２８等による箱形断面形状部に挿入されてねじ６０によって外辺フレーム２２に固定される挿入片５６Ｃを両端に有し、両端に隣接する各第１凹溝２４に連続して外方に向けて開口した円弧状の第４凹溝６２を画定している。
【００５４】
下部コーナフレーム５６は、外辺フレーム２２と同様に、第４凹溝６２の開口側の両側に各々パネル本体１８の主面２０に対して先細りになるべく外壁部５６Ｄの両側部から各々４５度傾斜して外方に延出した表裏一対の傾斜部５７を含む。傾斜部５７は外辺フレーム２２の傾斜部３６に連続する傾斜面になる。
【００５５】
下部コーナフレーム５６の内部には複数のナット６４が取り付けられている。下部コーナフレーム５６には第４凹溝６２に配置された脚取付ブロック６６が各ナット６４に螺合するボルト６８によって取り付けられている。脚取付ブロック６６には脚取付ブロック６６から下方に延出するロッド状の脚部材１２が取り付けられている。
【００５６】
このようにして、脚部材１２が脚取付ブロック６６によって下部コーナフレーム５６に簡便且つ確実に取り付けられる。
【００５７】
外辺フレーム２２及び外縁レール３８の端部には、図９に示されているように、第１取付用ベース部材７０が取り付けられる。第１取付用ベース部材７０は、アルミニウムの鋳造品であり、図１０及び図１１に示されているように、外辺フレーム２２及び外縁レール３８と同方向に延在する帯状の主部７２及び主部７２の一方の端部から外辺フレーム２２の第１凹溝２４の内方（底部側）に向けて延出した固定片部７４を有する。
【００５８】
主部７２は、両側部から各々外方に張り出した突条部７２Ａを有し、外縁レール３８の端部から第２凹溝４０に挿入されることにより、突条部７２Ａと外縁レール３８の突条部３８Ｃとが係合する。主部７２はこの係合によって外縁レール３８に係止される。主部７２は他部品の取り付けのために第１凹溝２４及び第２凹溝４０から溝外方に向けて露出する外面７２Ｂを含む。換言すると、主部７２は溝入口部３８Ａから外方に露出する外面７２Ｂを含む。外面７２Ｂには長手方向の複数箇所に他部品の取り付けためのねじ孔７２Ｃが形成されている。
【００５９】
このように、取付用ベース部材７０が第１凹溝２４から溝外方に向けて露出する部分を含む主部７２を有していることにより、第１取付用ベース部材７０を共通部品として主部７２に各種のオプション部材を取り付けることや複数のパネル装置１０同士の連結を行うことが可能になる。
【００６０】
主部７２は突条部７２Ａと外縁レール３８の突条部３８Ｃとの係合により、外縁レール３８に対する取付強度が向上する。これにより第１取付用ベース部材７０の主部７２を用いたオプション部材の取付強度や複数のパネル装置１０同士の連結強度が向上する。
【００６１】
固定片部７４は、ボルト通し孔７４Ａを貫通するセルフタップねじ７６が外辺フレーム２２の雌ねじ形成部３４に回転されながら挿入されることにより、セルフタップのもとに外辺フレーム２２の端部に固定される。
【００６２】
図１１及び図１２に示されているように、２個のパネル装置１０が互いに直線状に接続されるパネルレイアウト（直列配置）では、一つのねじ孔７２Ｃに螺合して主部７２に頭部付きピン７８が取り付けられた第１取付用ベース部材７０が一方のパネル装置１０の上下方向に延在する外辺フレーム２２の下端部に取り付けられ、他方のパネル装置１０の上下方向に延在する外辺フレーム２２の下端部に第２取付用ベース部材８０が取り付けられる。
【００６３】
第２取付用ベース部材８０は、アルミニウムの鋳造品であり、図１１及び図１３に示されているように、外辺フレーム２２及び外縁レール３８と同方向に延在する帯状の主部８２及び主部８２の一方の端部から外辺フレーム２２の第１凹溝２４の内方（底部側）に向けて延出した固定片部８４を有する。
【００６４】
主部８２は両側部から各々外方に張り出した突条部８２Ａを有し、外縁レール３８の端部から第２凹溝４０に挿入されることにより、突条部８２Ａと外縁レール３８の突条部３８Ｃとが係合する。主部８２はこの係合によって外縁レール３８に係止される。主部８２は他部品の取り付けのために第１凹溝２４及び第２凹溝４０から溝外方に向けて露出する外面８２Ｂを含む。換言すると、主部８２は溝入口部３８Ａから外方に露出する外面８２Ｂを含む。外面８２Ｂには頭部付きピン７８が係合可能なリップ付溝形断面形状の凹部８２Ｃが形成されている。
【００６５】
固定片部８４は、ボルト通し孔８４Ａを貫通するセルフタップねじ８６が外辺フレーム２２の雌ねじ形成部３４に回転されながら挿入されることにより、セルフタップのもとに外辺フレーム２２の端部に固定される。
【００６６】
図１１及び図１２に示されているように、２個のパネル装置１０が互いに隣接して直線状に並べられた状態で、第１取付用ベース部材７０の頭部付きピン７８が第２取付用ベース部材８０の凹部８２Ｃに落とし込みによって係合することにより、２個のパネル装置１０が互いに直線状に接続される。
【００６７】
このように、２個のパネル装置１０が第１取付用ベース部材７０及び第２取付用ベース部材８０によって、多くの専用部品を必要とすることなく簡便且つ確実に、互いに直線状に接続される。
【００６８】
この２個のパネル装置１０は、図１４及び図１５に示されているように、互いの上端部をパネル連結部材９０によって互いに直線状に接続（連結）されている。パネル連結部材９０は、図１４及び図１６に示されているように、外辺フレーム２２及び外縁レール３８と同方向に延在する帯状の係止部９２及び係止部９２の一方の端部から相反する外方に向けて延出して各パネル装置１０の外辺フレーム２２の端部に固定される２個の固定片部９４、９６を有する。
【００６９】
係止部９２は隣り合う各パネル装置１０の外縁レール３８の第２凹溝４０に挿入される２個の嵌合部９２Ａ及び９２Ｂを互い一体に有する。嵌合部９２Ａ及び９２Ｂは両側部から各々外方に張り出した突部９２Ｃ、９２Ｄを有し、各外縁レール３８の端部から第２凹溝４０に挿入されることにより、突部９２Ｃ、９２Ｄと対応する外縁レール３８の突条部３８Ｃとが係合する。係止部９２はこの係合によって外縁レール３８に係止される。
【００７０】
固定片部９４、９６は、ボルト通し孔９４Ａ、９６Ａを貫通するセルフタップねじ９８、１００が対応する外辺フレーム２２の雌ねじ形成部３４に回転されながら挿入されることにより、セルフタップのもとに各外辺フレーム２２の端部に固定される。
【００７１】
図１７〜図１９に示されているように、２個のパネル装置１０が平面視でＬ字状に接続されるパネルレイアウト（Ｌ字形配置）では、２個のパネル装置１０の接続に、各パネル装置１０の上端部及び下端部の各々に取り付けられた頭部付きピン７８付きの第１取付用ベース部材７０及び２面連結部材１１０が用いられる。
【００７２】
第１取付用ベース部材７０は、各パネル装置１０の上下方向に延在する外辺フレーム２２の上端部及び下端部に取り付けられる。各第１取付用ベース部材７０のパネル装置１０に対する取り付けは前述の直線状の接続の場合と同様であるので、その説明は省略する。
【００７３】
２面連結部材１１０は、パネル装置１０の上下方向に延在する一つの外辺フレーム２２に沿って上下方向に延在するポスト状のものであり、略台形の断面形状を有し、互いに９０度の挟み角度を有する２個の外面１１０Ａ、１１０Ｂの各々に、各外面１１０Ａ、１１０Ｂの上端及び下端に開口した切り欠きによる係合孔１１０Ｃ、１１０Ｄを有する。
【００７４】
上下方向に延在する―つの外辺フレーム２２が９０度の挟み角をもって突き合わされるように、２個のパネル装置１０が配置され、各第１取付用ベース部材７０の頭部付きピン７８が対応する係合孔１１０Ｃ、１１０Ｄに係合するように、各第１取付用ベース部材７０が対応するパネル装置１０に取り付けられる。これにより、２個のパネル装置１０が平面視でＬ字形に接続される。
【００７５】
このように、４個のパネル装置１０が２個の第１取付用ベース部材７０及び１個の２面連結部材１１０によって、多くの専用部品を必要とすることなく簡便且つ確実に、平面視でＬ字形に接続される。
【００７６】
２面連結部材１１０の各外面１１０Ａ、１１０Ｂの上端近傍及び下端近傍には樹脂製の係止部材１１２が取り付けられている。係止部材１１２は、対応するパネル装置１０の外縁レール３８の第２凹溝４０に係合するクリップ１１２Ａを含む。
【００７７】
各パネル装置１０の外縁は表裏両面を傾斜部３６によって４５度の面取り形状になっているから、図１８に示されているように、上下方向に延在する―つの外辺フレーム２２が９０度の挟み角をもって突き合わされるパネル配置において、２個のパネル装置１０の挟み角側（突き合わせ部の内側）の傾斜部３６同士が互いに平行になり、互いに隣接する２個のパネル装置１０間に大きい隙間が生じることがない。２面連結部材１１０はこの隙間を塞ぐように配置されるから、Ｌ字形配置の２個のパネル装置１０間から光が漏れることがない密閉性が得られる。
【００７８】
このＬ字形配置の２個のパネル装置１０の突き合わせ部の外側は、各パネル装置１０の外側の傾斜部３６が面一状に延在し、しかも、２面連結部材１１０の外側の面１１０Ｅが外側の傾斜部３６が面一状に延在する面になっていることにより、見栄えのよい仕切りが行われる。
【００７９】
図２０に示されているように、４個のパネル装置１０が平面視でＴ字状に接続されるパネルレイアウトでは、３個のパネル装置１０の接続に、各パネル装置１０の上端部材及び下端部の各々に取り付けられた頭部付きピン７８付きの第１取付用ベース部材７０及び３面連結部材１２０が用いられる。
【００８０】
第１取付用ベース部材７０は、各パネル装置１０の上下方向に延在する外辺フレーム２２の上端部及び下端部に取り付けられる。各第１取付用ベース部材７０のパネル装置１０に対する取り付けは前述の直線状の接続の場合と同様であるので、その説明は省略する。
【００８１】
３面連結部材１２０は、パネル装置１０の上下方向に延在する一つの外辺フレーム２２に沿って上下方向に延在するポスト状のものであり、略八角形の断面形状を有し、隣り合うもの同士で互いに９０度の挟み角度を有する３個の外面１２０Ａ、１２０Ｂ、１２０Ｃの各々に、各外面１２０Ａ、１２０Ｂ、１２０Ｃの上端及び下端に開口した切り欠きによる係合孔１２０Ｄ、１２０Ｅ、１２０Ｆを有する。
【００８２】
上下方向に延在する―つの外辺フレーム２２が９０度の挟み角をもって突き合わされるように、３個のパネル装置１０が配置され、各第１取付用ベース部材７０の頭部付きピン７８が対応する係合孔１２０Ｄ、１２０Ｅ、１２０Ｆに係合するように、各第１取付用ベース部材７０が対応するパネル装置１０に取り付けられる。これにより、３個のパネル装置１０が平面視でＴ字形に接続される。
【００８３】
尚、この実施形態でも、係止部材１１２、１１４と同様の係止部材（不図示）が用いられ、各パネル装置１０に対する３面連結部材１２０の上下方向の位置が決められる。
【００８４】
各パネル装置１０の外縁は表裏両面を傾斜部３６によって４５度の面取り形状になっているから、図２０に示されているように、上下方向に延在する―つの外辺フレーム２２が９０度の挟み角をもって突き合わされるパネル配置において、隣接する２個のパネル装置１０の挟み角側（突き合わせ部の内側）の傾斜部３６同士が互いに平行になり、互いに隣接する２個のパネル装置１０間に大きい隙間が生じることがない。３面連結部材１２０はこの隙間を塞ぐように配置されるから、Ｔ字形配置の３個のパネル装置１０間から光が漏れることがない密閉性が得られる。
【００８５】
このように、３個のパネル装置１０が６個の第１取付用ベース部材７０及び１個の３面連結部材１２０によって、多くの専用部品を必要とすることなく簡便且つ確実に、平面視でＴ字形に接続される。
【００８６】
図２１に示されているように、４個のパネル装置１０が平面視で十字状に接続されるパネルレイアウトでは、４個のパネル装置１０の接続に、各パネル装置１０の上端部材及び下端部の各々に取り付けられた頭部付きピン７８付きの第１取付用ベース部材７０及び４面連結部材１３０が用いられる。
【００８７】
第１取付用ベース部材７０は、各パネル装置１０の上下方向に延在する外辺フレーム２２の上端部及び下端部に取り付けられる。各第１取付用ベース部材７０のパネル装置１０に対する取り付けは前述の直線状の接続の場合と同様であるので、その説明は省略する。
【００８８】
４面連結部材１３０は、パネル装置１０の上下方向に延在する一つの外辺フレーム２２に沿って上下方向に延在するポスト状のものであり、略正八角形の断面形状を有し、隣り合うもの同士で互いに９０度の挟み角度を有する４個の外面１３０Ａ、１３０Ｂ、１３０Ｃ、１３０Ｄの各々に、各外面１３０Ａ、１３０Ｂ、１３０Ｃ、１３０Ｄの上端及び下端に開口した切り欠きによる係合孔１３０Ｅ、１３０Ｆ、１３０Ｇ、１３０Ｈを有する。
【００８９】
上下方向に延在する―つの外辺フレーム２２が９０度の挟み角をもって突き合わされるように、４個のパネル装置１０が配置され、各第１取付用ベース部材７０の頭部付きピン７８が対応する係合孔１３０Ｅ、１３０Ｆ、１３０Ｇ、１３０Ｈに係合するように、各第１取付用ベース部材７０が対応するパネル装置１０に取り付けられる。これにより、４個のパネル装置１０が平面視で十字形に接続される。
【００９０】
このように、４個のパネル装置１０が４個の第１取付用ベース部材７０及び１個の４面連結部材１３０によって、多くの専用部品を必要とすることなく簡便且つ確実に、平面視で十字形に接続される。
【００９１】
各パネル装置１０の外縁は表裏両面を傾斜部３６によって４５度の面取り形状になっているから、図２１に示されているように、上下方向に延在する―つの外辺フレーム２２が９０度の挟み角をもって突き合わされるパネル配置において、隣接する２個のパネル装置１０の挟み角側（突き合わせ部の内側）の傾斜部３６同士が互いに平行になり、互いに隣接する２個のパネル装置１０間に大きい隙間が生じることがない。４面連結部材１３０はこの隙間を塞ぐように配置されるから、十字形配置の４個のパネル装置１０間から光が漏れることがない密閉性が得られる。
【００９２】
他の実施形態として、図２２に示されているように、脚部材１２に代えて、上下方向に外辺フレーム２２の下端部に取り付けられた第１取付用ベース部材７０に複数のボルト１４０によって固定された脚部材１４２が用いられてもよい。
【００９３】
脚部材１４２は、上下方向に延在し、第１取付用ベース部材７０の主部７２にボルト１４０によって固定される取付主部１４２Ａ及び取付主部１４２Ａの下端からパネル装置１０の表裏方向に各々延出した延出脚片１４２Ｂ、１４２Ｃを有し、延出脚片１４２Ｂ、１４２Ｃの遊端に取り付けられたＰＰ樹脂製の脚部材１４４、１４６によって床面Ｆ上に設置される。
【００９４】
このようにして脚部材１４４、１４６は第１取付用ベース部材７０によって外辺フレーム２２に簡便且つ確実に取り付けられる。
【００９５】
次に、本発明によるパネル装置の他の実施形態を、図２３〜図２５を参照して説明する。尚、図２３〜図２５において、図１〜図１０に対応する部分は、図１〜図１０に付した符号と同一の符号を付けて、その説明を省略する。
【００９６】
水平方向に延在する上側の外辺フレーム２２の両端に第１取付用ベース部材７０の固定片部７４がセルフタップねじ７６によって固定されている。各第１取付用ベース部材７０の主部７２の外面７２Ｂは外辺フレーム２２の第１凹溝２４及び外縁レール３８の第２凹溝４０の上向きの開口から外方に露出している。
【００９７】
各第１取付用ベース部材７０の主部７２には取付部材１５０が取り付けられている。各取付部材１５０は、金属板のプレス成形品であり、パネル本体１８の上部において外縁レール３８の第２凹溝４０に正対して対応する第１取付用ベース部材７０の主部７２にねじ１５２によって固定される中央片１５０Ａ、中央片１０Ａの各側縁に接続されて各傾斜部３６に正対する矩形の傾斜側片１５０Ｂ、１５０Ｃ及び傾斜側片１５０Ｂ、１５０Ｃの各々から略直角に起立した起立片１５０Ｄ、１５０Ｅを含む。
【００９８】
各起立片１５０Ｄ、１５０Ｅにはボルト１５４、１５６によって傾斜天井パネル１５８、１６０の基端部１５８Ａ、１６０Ａが固定されている。傾斜天井パネル１５８、１６０は、対応する起立片１５０Ｄ、１５０Ｅに固定された基端部１５８Ａ、１６０Ａを含み、基端部１５８Ａ、１６０Ａから斜め上方に延在している。
【００９９】
このように、傾斜天井パネル１５８、１６０は、第１取付用ベース部材７０及び取付部材１５０により、傾斜部３６を利用して外辺フレーム２２に対して容易に且つ確実に傾斜配置される。
【０１００】
尚、傾斜天井パネル１５８、１６０は、傾斜配置により上方へ拡散する音波を反射し、話し声等の拡散を抑制する作用を生じる。
【０１０１】
図２６に示されているように、パネル本体１８の片側にのみ傾斜天井パネル１５８が設けられていてもよい。この場合には起立片１５０Ｅが省略された取付部材１５０が用いられる。
【０１０２】
上述したように、第１取付用ベース部材７０は、パネル装置１０同士の接続、脚部材１４２や傾斜天井パネル１５８、１６０等の各種のオプション部材の取り付けに共用される。これにより、各種のオプション部材の取付構造や複数のパネル装置同士の連結構造が一部共通化され、多くの専用部品を必要としないことによる部品点数の削減のもとにコストが低減する。
【０１０３】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、傾斜部３６の角度θは４５度以下の角度であってもよい。雌ねじ形成部３４は、Ｃ字形の断面形状に限られることはなく、円筒状形状であってもよい。脚部材１４２には脚部材１４４、１４６に代えてキャスタ等が取り付けられていてもよい。
【０１０４】
また、上記実施形態に示した構成要素は必ずしも全てが必須なものではなく、本発明の趣旨を逸脱しない限りにおいて適宜取捨選択することが可能である。
【符号の説明】
【０１０５】
１０      ：パネル装置
１２      ：脚部材
１４      ：芯板
１６      ：外側板
１８      ：パネル本体
２０      ：主面
２２      ：外辺フレーム
２４      ：第１凹溝
２６      ：フレーム本体部
２６Ａ    ：凹溝構成部
２６Ｂ    ：外壁部
２６Ｃ    ：底部
２６Ｄ    ：リブ
２８      ：パネル取付片
３０      ：連結片
３４      ：雌ねじ形成部
３６      ：傾斜部
３６Ａ    ：外面
３６Ｂ    ：先端部
３８      ：外縁レール
３８Ａ    ：溝入口部
３８Ｂ    ：係合溝
３８Ｃ    ：突条部
３９      ：レール状キャップ
４０      ：第２凹溝
４２      ：表皮
４２Ａ    ：外縁
４４      ：ゴム
４６      ：上部コーナフレーム
４６Ａ    ：半体
４６Ｂ    ：挿入片
４６Ｃ    ：挿入片
４６Ｄ    ：外壁部
４７      ：傾斜部
４８      ：ねじ
５０      ：ねじ
５２      ：第３凹溝
５４      ：コーナキャップ
５６      ：下部コーナフレーム
５６Ａ    ：半体
５６Ｂ    ：挿入片
５６Ｃ    ：挿入片
５６Ｄ    ：外壁部
５７      ：傾斜部
５８      ：ねじ
６０      ：ねじ
６２      ：第４凹溝
６４      ：ナット
６６      ：脚取付ブロック
６８      ：ボルト
７０      ：第１取付用ベース部材
７２      ：主部
７２Ａ    ：突条部
７２Ｂ    ：外面
７２Ｃ    ：ねじ孔
７４      ：固定片部
７４Ａ    ：ボルト通し孔
７６      ：セルフタップねじ
７８      ：頭部付きピン
８０      ：第２取付用ベース部材
８２      ：主部
８２Ａ    ：突条部
８２Ｂ    ：外面
８２Ｃ    ：凹部
８４      ：固定片部
８４Ａ    ：ボルト通し孔
８６      ：セルフタップねじ
９０      ：パネル連結部材
９２      ：係止部
９２Ａ    ：嵌合部
９２Ｂ    ：嵌合部
９２Ｃ    ：突部
９２Ｄ    ：突部
９４      ：固定片部
９４Ａ    ：ボルト通し孔
９６      ：固定片部
９６Ａ    ：ボルト通し孔
９８      ：セルフタップねじ
１００    ：セルフタップねじ
１１０    ：２面連結部材
１１０Ａ  ：外面
１１０Ｂ  ：外面
１１０Ｃ  ：係合孔
１１０Ｄ  ：係合孔
１１０Ｅ  ：面
１１２    ：係止部材
１１２Ａ  ：クリップ
１２０    ：３面連結部材
１２０Ａ  ：外面
１２０Ｂ  ：外面
１２０Ｃ  ：外面
１２０Ｄ  ：係合孔
１２０Ｅ  ：係合孔
１２０Ｆ  ：係合孔
１３０    ：４面連結部材
１３０Ａ  ：外面
１３０Ｂ  ：外面
１３０Ｃ  ：外面
１３０Ｄ  ：外面
１３０Ｅ  ：係合孔
１３０Ｆ  ：係合孔
１３０Ｇ  ：係合孔
１３０Ｈ  ：係合孔
１４０    ：ボルト
１４２    ：脚部材
１４２Ａ  ：取付主部
１４２Ｂ  ：延出脚片
１４２Ｃ  ：延出脚片
１４４    ：脚部材
１４６    ：脚部材
１５０    ：取付部材
１５０Ａ  ：中央片
１５０Ｂ  ：傾斜側片
１５０Ｃ  ：傾斜側片
１５０Ｄ  ：起立片
１５０Ｅ  ：起立片
１５２    ：ねじ
１５４    ：ボルト
１５６    ：ボルト
１５８    ：傾斜天井パネル
１５８Ａ  ：基端部
１６０    ：傾斜天井パネル
１６０Ａ  ：基端部
【図１】
2020139286.tif 000003
【図２】
2020139286.tif 000004
【図３】
2020139286.tif 000005
【図４】
2020139286.tif 000006
【図５】
2020139286.tif 000007
【図６】
2020139286.tif 000008
【図７】
2020139286.tif 000009
【図８】
2020139286.tif 000010
【図９】
2020139286.tif 000011
【図１０】
2020139286.tif 000012
【図１１】
2020139286.tif 000013
【図１２】
2020139286.tif 000014
【図１３】
2020139286.tif 000015
【図１４】
2020139286.tif 000016
【図１５】
2020139286.tif 000017
【図１６】
2020139286.tif 000018
【図１７】
2020139286.tif 000019
【図１８】
2020139286.tif 000020
【図１９】
2020139286.tif 000021
【図２０】
2020139286.tif 000022
【図２１】
2020139286.tif 000023
【図２２】
2020139286.tif 000024
【図２３】
2020139286.tif 000025
【図２４】
2020139286.tif 000026
【図２５】
2020139286.tif 000027
【図２６】
2020139286.tif 000028